(57)【特許請求の範囲】
【請求項１】
アンテナと情報記憶素子を夫々に内蔵する複数の記録媒体が所定の間隔をもって仮付けされた連続紙を搬送する搬送手段と、前記記録媒体に画像を記録する記録手段と、前記情報記憶素子に情報を書き込む書き込み手段を具備する記録装置において、
前記連続紙を搬送する速度を複数段階設定可能な搬送速度設定手段と、前記情報記憶素子への送信データと書き込み後のデータを比較する比較手段とをもち、前記比較手段の比較結果に基づき前記搬送速度を設定することを特徴とする記録装置。
【請求項２】
前記比較手段の比較結果で不一致が検出された場合、
一旦前記連続紙を所定量逆方向に戻し、その後設定された搬送速度によって、再度書き込み動作を実行することを特徴とする請求項１記載の記録装置。
【発明の詳細な説明】
【０００１】
【発明の属する技術分野】
本発明は、ＲＦ-ＩＤ（Radio Frequency Identification）タグを内蔵する連続ラベル紙と通信を行うＲＦ-ＩＤ書き込み機能を有する記録装置に関する。
【０００２】
【従来の技術】
近年、半導体技術及び電子通信技術の発達により、非接触で情報を送受信可能なＲＦ-ＩＤと呼ばれる自動認識システムが開発されている。
このＲＦ-ＩＤシステムは、アンテナ及び不揮発性記憶素子を含む電子回路を搭載し情報を保持するＲＦ-ＩＤタグとＲＦ-ＩＤタグをコントロールするＲＦ-ＩＤリーダ/ライタとから構成される。
【０００３】
【問題を解決する為の手段】
上記課題を解決する為に本発明では次の手段を実施した。すなわち本発明の記録装置は、アンテナと情報記憶素子を夫々に内蔵する複数の記録媒体が所定の間隔をもって仮付けされた連続紙を搬送する搬送手段と、前記記録媒体に画像を記録する記録手段と、前記情報記憶素子に情報を書き込む書き込み手段を具備する記録装置において、
前記連続紙を搬送する速度を複数段階設定可能な搬送速度設定手段と、前記情報記憶素子への送信データと書き込み後のデータを比較する比較手段とをもち、前記比較手段の比較結果に基づき前記搬送速度を設定することを特徴とする。
又、本発明の記録装置は、前記比較手段の比較結果で不一致が検出された場合、一旦前記連続紙を所定量逆方向に戻し、その後設定された搬送速度によって、再度書き込み動作を実行することを特徴とする。
【作用】
本発明は、非接触ＩＣライタ搭載記録装置において、非接触ＩＣに対する情報書き込み条件に応じて最適な給送間隔を選択することにより、生産性の向上、非接触ＩＣに対する書き込みエラー発生時に生じる記録媒体の無駄を軽減できる。
【０００４】
カードやラベルなどの記録媒体に内蔵し、前記システムで使用されるＲＦ-ＩＤタグは、記録媒体表面への記録と同時に情報の書き込みを行う必要があるが、近年は、これらの作業を別々の装置で分担するのではなく、記録装置にＲＦ-ＩＤタグへのリード／ライト機能を搭載することにより、記録媒体表面への記録動作と、ＲＦ-ＩＤタグへの書き込み動作を一括して行う記録装置が一般的になりつつある。ＲＦ-ＩＤタグにはアンテナのサイズの違いや、使用されているＩＣチップの違いなど、多数の種類が存在し、通信可能範囲や所要書き込み時間が異なる。さらに、周囲の電波状況、金属等電波状態に影響を及ぼす物質の有無などにより、通信環境が変わるため、所要書き込み時間は変化する。
【０００５】
ＲＦ−ＩＤタグ書き込み機能付き記録装置は、記録及び情報の書き込みを行う際に、記録媒体の搬送速度をＲＦ−ＩＤタグの種類・書き込む情報量・書き込み時間などの情報から予め決められた搬送速度にて動作を行っていた。
【０００６】
【発明が解決しようとする課題】
しかしながら、周囲の電波状況、金属等電波状態に影響を及ぼす物質の有無などにより、通信環境が変わるため、所要書き込み時間は一定とは限らない。その時々の状況により書き込み時間が変化するため、予め計測不可能な状況も考えられる。このような場合、予め決めた搬送速度では書き込み不良が頻発するケースが生じる等の問題があった。
【０００７】
本発明は、ＲＦ−ＩＤタグへの情報の書き込みが失敗した場合、次の記録および書き込み動作時の適切な搬送速度を設定することで、時間的なロスを軽減し、且つ信頼性の高いシステムを提供する。
【０００８】
【課題を解決するための手段】
本発明によるＲＦ-ＩＤタグ書き込み機能付き記録装置は上記の問題を解決するため、下記に記載の手段を提案する。
【０００９】
(１)アンテナと情報記憶素子を内蔵する記録媒体の表面に画像を記録する記録手段と、前記情報記憶素子に情報を書き込む手段を具備する記録装置において、前記記録媒体を搬送する速度を複数段階設定可能な搬送速度設定手段と、
前記情報記憶素子への送信データと書き込み後のデータとを比較する比較手段とをもち、前記比較手段の比較結果に基づき前記搬送速度を設定することを特徴とする記録装置。
【００１０】
(２)前記搬送速度設定手段は、前記比較手段の比較結果が不一致であった場合、前記搬送速度を小さくすることを特徴とする記録装置
【００１１】
(３)前記比較手段の比較結果で一致したデータ量と全書き込みデータ量とから前記搬送速度を決定することを特徴とする記録装置。
【００１２】
(４)前記比較手段の比較結果で不一致となったデータ内容によって次の処理を変更することを特徴とする請求項１記載の記録装置。
【００１３】
(５)前記比較手段の比較結果で一致したデータ部より以前に終了したデータの不一致が検出された場合、
再度書き込み動作を実行することを特徴とする記録装置。
【００１４】
【作用】
本発明は、ＲＦ-ＩＤタグを内蔵する連続ラベル紙と通信を行うＲＦ-ＩＤ書き込み機能搭載の記録装置において、ＲＦ−ＩＤタグに情報の書き込みを行う際に書き込みエラーが発生した場合、次の記録および書き込み動作時の適切な搬送速度を再設定することで、信頼性の高い動作が可能となる。
【００１５】
【実施例】
以下、図面を参照して本発明の実施例について詳細に説明する。
【００１６】
図１は本実施例におけるＲＦ-ＩＤタグ書き込み機能を持つラベル記録装置とホストコンピュータを接続した構成図である。
【００１７】
ＲＦ-ＩＤ書き込み機能付きラベル記録装置（１００）（以下ＲＦ-ＩＤプリンタと呼ぶ）と、ホストコンピュータ（１０１）はインタフェースケーブル（１０２）で接続され、ホストコンピュータ（１０１）は記録情報やＲＦ-ＩＤタグへの書き込み情報等を制御コマンドとしてインタフェースケーブル（１０２）を介しＲＦ-ＩＤプリンタ（１００）に出力する。
【００１８】
図２は、本実施例で使用するＲＦ-ＩＤプリンタ（１００）の概略構成図である。ＲＦ-ＩＤプリンタ（１００）は、連続ラベル紙に対して記録を行うラベルプリンタで、台紙にラベル片が仮着された連続ラベル紙をロールユニット（２０５）に装着して搬送部に供給する。搬送部は主に搬送モータ（２０６）と搬送ベルト（２０７）で構成され、記録時は矢印方向に連続ラベル紙を搬送する。ここで、搬送経路上のロールユニット（２０５）側を搬送入口、逆側を搬送出口とする。
【００１９】
ＲＦ-ＩＤプリンタ（１００）は記録手段として、例えばインクジェット記録ヘッドであるブラック（Ｋ）ヘッド（２０３Ｋ）、シアン（Ｃ）ヘッド（２０３Ｃ）、マゼンタ（Ｍ）ヘッド（２０３Ｍ）、イエロー（Ｙ）ヘッド（２０３Ｙ）を搭載し、これらのヘッドはラベル幅分の長さのノズル列を持ったフルラインタイプのインクジェット記録ヘッドである。これら４本のヘッドからそれぞれＫ、Ｃ、Ｍ、Ｙのインクを吐出し、カラー記録を行うことが可能である。吐出するインクは、ブラック（Ｋ）インクカートリッジ（２０４Ｋ）、シアン（Ｃ）インクカートリッジ（２０４Ｃ）、マゼンタ（Ｍ）インクカートリッジ（２０４Ｍ）、イエロー（Ｙ）インクカートリッジ（２０４Ｙ）から、図示しないポンプによってそれぞれの記録ヘッドに供給される。
【００２０】
ロールユニット（２０５）は、ロール紙（２１０）を装着するロール駆動軸（２０８）、ロール紙のたるみにより位置が変化するロールセンサレバー（２０９）、ロール駆動軸（２０８）を駆動する図示しないロールモータから構成され、ロールセンサレバー（２０９）の状態によりロールモータを駆動、停止することで連続ラベル紙を給送する。さらに、搬送出口にＲＦ-ＩＤタグに対して情報を書き込むためのＲＦ-ＩＤ通信部（２００）が有り、ＲＦ-ＩＤ通信部（２００）は、固定されたＲＦ-ＩＤ用通信アンテナ（２０１）とＲＦ-ＩＤの通信制御を行うＲＦ-ＩＤリーダ/ライタ（２０２）から構成され、ＲＦ-ＩＤタグと通信を行い、情報が書き込まれる。
【００２１】
図３は、本実施例で使用するホストコンピュータ（１０１）から送信される制御コマンドの構造を示した図である。制御コマンドとしては、記録する連続ラベル紙のサイズ等を設定する用紙設定コマンド（３０１）、記録データの基準となる設定が存在するフォーマットコマンド（３０２）、文字、イメージ、ＲＦ−ＩＤの詳細情報を設定するデータコマンド（３０３、３０４、３０５）、記録データの終了を示しジョブを開始するジョブ開始コマンド（３１０）が存在し、それらのコマンドを記録コマンド転送例（３１１）の様に出力する。ＲＦ-ＩＤタグのＩＣチップ（８０３）の種類は３０６に、ＲＦ-ＩＤタグサイズは３０７に、書き込みデータ量は３０８に、書き込みデータは３０９により指定される。
【００２２】
図４はＲＦ-ＩＤプリンタ（１００）の電気的なブロック図である。
ホストコンピュータ（１０１）は、記録に使用する画像データとＲＦ-ＩＤタグのＩＣチップへの書き込みデータを図３のデータコマンド（３０３）としてＲＦ-ＩＤプリンタ（１００）に転送し、記録開始を指示する。また、ＲＦ-ＩＤプリンタ（１００）で記録する連続ラベル紙の枚数、及び連続ラベル紙の種類やサイズ等を指示する第３図用紙設定コマンド（３０１）、フォーマットコマンド（３０２）をＲＦ-ＩＤプリンタ（１００）に転送して指示することができる。ＲＦ-ＩＤプリンタ（１００））は、通信ドライバ（４０３）により通信を制御し、ホストからのコマンドを受信する。
【００２３】
ＲＦ-ＩＤプリンタ（１００）は、受信した記録データを各色成分のイメージデータとしてＲＡＭ（４１０Ｋ）〜（４１０Ｙ）のそれぞれにビットマップ展開して描画する。また、ＲＦ-ＩＤタグに書込む電子情報であるＲＦ-ＩＤデータコマンド（３０５）とラベルサイズ、記録枚数等の用紙設定コマンド（３０１）及びフォーマットコマンド（３０２）はＲＡＭ（４１０Ｒ）に格納される。こうして記録データとＲＦ-ＩＤ書き込みデータをＲＡＭ（４１０Ｋ）〜（４１０Ｒ）のそれぞれに展開が終了すると、インクジェット記録ヘッド（４０９Ｋ）〜（４０９Ｙ）をヘッド駆動機構制御モータ（４０７）により記録位置へ移動させる。
【００２４】
搬送速度は複数速度から選択可能であり、ＲＦ−ＩＤタグとの所要通信時間及び通信可能範囲により選択される。ここで、所要通信時間はＲＦ−ＩＤタグのＩＣチップ種類、ＩＣチップに書き込むデータ量で決まりＲＦ−ＩＤデータコマンド（３０５）にて指示される。
【００２５】
図５はＲＦ−ＩＤ用通信アンテナ（４０６）と書き込みされるＲＦ−ＩＤタグとが１対１で通信可能な範囲（図５Ａ）を示し、ＲＦ−ＩＤタグのサイズ（アンテナサイズに相当）等により例えば図５Ｂの表の如く数値的にまとめられる。
【００２６】
図６には各ＩＣチップタイプへの書き込みデータサイズに対する所要通信時間参照テーブルを示す。
【００２７】
図７は通信時間及び通信可能範囲から搬送速度を導き出す式（図７Ａ）と計算結果の表を示す。
【００２８】
ＲＯＭ（４０８）には、図５Ｂ、図６、そして図７Ｂの各テーブルが記憶されており、所要通信時間及び通信可能範囲から搬送速度はテーブル形式で決定されるようになっている。
【００２９】
記録動作は連続ラベル紙の搬送に同期して、メインコントローラ（４０１）がＲＡＭ（４１０Ｋ）〜（４１０Ｙ）のそれぞれから対応する色のイメージデータを順次読み出し、ヘッド制御回路（４０４）を経由して、それぞれに対応する色のインクを吐出するインクジェット記録ヘッド（４０９K）〜（４０９Y）に出力する。
【００３０】
こうしてインクジェット記録ヘッド（４０９K）〜（４０９Y）のそれぞれは、入力されたイメージデータに従って選択的にインクを吐出してカラー記録する。記録が終了した連続ラベル紙は、引き続いてＲＦ-ＩＤ通信部（２００）に搬送され、ＲＦ-ＩＤリーダ/ライタ（４０２）によりＲＦ-ＩＤ通信用アンテナ（４０６）を介して、連続ラベル紙に内蔵されているＲＦ-ＩＤタグのＩＣチップ（８０３）にデータを書き込む。こうしてラベルへの記録、及びＲＦ-ＩＤタグのＩＣチップ（８０３）への書き込みが終了した連続ラベル紙は、搬送出口に排出される。
【００３１】
上記一連の制御及び本発明に関わる図９、図１１に示されるフローに対応する制御は、ＲＯＭ（４０８）に記憶されている制御プログラムをメインコントローラ（４０１）が実行することにより行われる。
【００３２】
図８は、本実施例で使用するＲＦ-ＩＤタグを内蔵した連続ラベル紙である。長尺の連続ラベル紙（８００）は、中空部を形成した円柱状の巻芯にロール状に巻かれた形態となっており、図８はこの連続ラベル紙の一部を表している。台紙（８０１）には、表面に記録が可能であるラベル片（８０２）が等間隔で仮着されており、ラベル片（８０２）の内部に電子情報を記憶するための不揮発性メモリを搭載したＩＣチップ（８０３）とＩＣチップ（８０３）に電気的に接続されたアンテナ（８０４）が封入されている。本実施例においては、ＩＣチップ（８０３）は、電気的に書換え可能な不揮発性メモリが用いられている。
【００３３】
図９は、本実施例の記録データとＩＣチップへの書き込みデータを受信したＲＦ-ＩＤプリンタ（１００）の処理動作を示した図であり、
図１１は、ＲＦ−ＩＤタグのＩＣチップに対するＲＦ−ＩＤ情報の書き込みが失敗した際の処理について示した図である。記録枚数や用紙サイズ、ＲＦ-ＩＤタグのアンテナサイズ、などの各種パラメータと記録データ、およびＩＣチップ（４０３）への書き込みデータは、記録を指示するコマンドと共にホストコンピュータ（１０１）からＲＦ-ＩＤプリンタ（１００）に送信され記録データはＲＡＭ（４１０Ｋ）〜（４１０Ｙ）に、ＩＣチップへの書き込みデータはＲＡＭ（４１０Ｒ）上に記録される（Ｓ９０１）。
【００３４】
記録データ、書き込みデータにはそれぞれ属性を示す付帯情報が加えられており、記録データの受信終了した後、搬送速度を設定し（Ｓ９０２）、連続ラベル紙の搬送を開始する（Ｓ９０３）。
【００３５】
ステップ９０４（Ｓ９０４）のラベル紙記録およびＲＦ-ＩＤタグ書込み処理では、記録、書き込みすべき先頭ラベルが記録位置を通過中に記録、更にその後、ラベルはＲＦ-ＩＤ通信用アンテナ（２０１）の上部を通過する間に内蔵されているＩＣチップ（８０３）に書き込み動作される。この処理を指定された記録枚数に達するまで繰り返し行う。ＲＦ−ＩＤタグへの書き込みが完了し（Ｓ９０５）、記録枚数が指定された値に達したら（Ｓ９０６）最終ラベルを搬送出口に排出し、搬送を終了する（Ｓ９０７）。
【００３６】
ＲＦ−ＩＤタグのＩＣチップに対する書き込みはＩＣチップが通信可能範囲内を移動中に通信を終了しなければ書き込み失敗と判断し動作を中断する（Ｓ９０８）。書き込み失敗と判断された時（Ｓ９０５）のＲＦ−ＩＤタグの位置は概ね図１０Ａに、動作中断時（Ｓ９０８）の位置を図１０Ｂに各々示す。ここで、動作の中断とはその時点で記録ヘッドにより記録動作中のラベル紙（図１０の１００１Ｃ、及び１００１Ｄ）に対しては記録完了するまで動作を継続し、まだ記録が開始されていないラベル紙（図１０の１００１Ｅ以降）に対しては記録ヘッドの下（記録位置）に達しても記録は開始せず、同様にＲＦ−ＩＤタグへの書き込みも開始しない。
【００３７】
中断処理終了後、搬送モータを記録時とは逆方向に駆動させ（Ｓ９０９）、書き込み失敗となったＲＦ−ＩＤタグ（図１０のラベル紙１００１ａ内蔵）がＲＦ−ＩＤ通信用アンテナの通信範囲よりも入り口側に、且つ中断動作にて未記録ラベル紙（図１０の１００１ｅ）が記録ヘッドよりも入り口側に位置するまでラベル紙を戻し（Ｓ９０９）、停止する。この時のラベル紙の位置を概ね図１０Ｃに示す。
【００３８】
次に搬送速度参照テーブル（図７Ｂ）を参照して１段階小さい搬送速度に決定し（ステップ９１０）、書き込み失敗となったＲＦ−ＩＤタグ（図１０のラベル紙１００１ａ内蔵）以降に対する書き込み、及び未記録としたラベル紙（図１０の１００１ｅ）以降に対し記録動作を再開する。このように、
第１の実施例では、ＲＦ−ＩＤタグに情報の書き込みを行う際に書き込みが失敗した場合、次の記録、及び書き込み動作再開時の搬送速度を設定することで、確実な書き込みが可能となる。
（第2の実施例）
第１の実施例のＲＦ-ＩＤプリンタ（１００）において、ＲＦ−ＩＤタグのＩＣチップへの書き込みが失敗した時、正しく書き込みされたデータ量を確認し、その値を元に適切な搬送速度を決定することで本発明を実施できる。
【００３９】
図１１は、本実施例の記録データとＩＣチップへの書き込みデータを受信した後のＲＦ-ＩＤプリンタ（１００）の処理を示した図であり、
図１２は、ＲＦ−ＩＤタグのＩＣチップに対するＲＦ−ＩＤ情報の記録が失敗した際の処理について示した図である。記録枚数や用紙サイズ、ＲＦ-ＩＤタグのアンテナサイズ、などの各種パラメータと記録データ、およびＩＣチップ（４０３）への書き込みデータは、記録を指示するコマンドと共にホストコンピュータ（１０１）からＲＦ-ＩＤプリンタ（１００）に送信され記録データはＲＡＭ（４１０Ｋ）〜（４１０Ｙ）に、書き込みデータはＲＡＭ（４１０Ｒ）上に記録される（Ｓ１１０１）。
【００４０】
記録データ、書き込みデータにはそれぞれ属性を示す付帯情報が加えられており、記録データの受信終了した後、搬送速度を設定し（Ｓ１１０２）、連続ラベル紙の搬送を開始する（Ｓ１１０３）。
【００４１】
ステップ１１０４（Ｓ１１０４）のラベル紙記録およびＲＦ-ＩＤタグ書込み処理では、記録、書き込みすべき先頭ラベルが記録位置を通過中に記録、更にその後、ラベルはＲＦ-ＩＤ通信用アンテナ（２０１）の上部を通過する間に内蔵されているＩＣチップ（８０３）に書き込み動作される。この処理を指定された記録枚数に達するまで繰り返し行う。ＲＦ−ＩＤタグへの書き込みが完了し（Ｓ１１０５）、記録枚数が指定された値に達したら（Ｓ１１０６）最終ラベルを搬送出口に排出し、搬送を終了する（Ｓ１１０７）。
【００４２】
ＲＦ−ＩＤタグのＩＣチップに対する書き込みはＩＣチップが通信可能範囲内を移動中に通信を終了しなければ書き込み失敗と判断し動作を中断する（Ｓ１１０８）。書き込み失敗と判断された時（Ｓ１１０５）のＲＦ−ＩＤタグの位置は概ね図１２Ａに、動作中断時（Ｓ１１０８）の位置を図１２Ｂに各々示す。
【００４３】
ここで、動作の中断とはその時点で記録ヘッドにより記録動作中のラベル紙（図１２の１２０１ｃ、及び１２０１ｄ）に対しては記録完了するまで動作を継続し、まだ記録が開始されていないラベル紙（図１２の１２０１ｅ以降）に対しては記録ヘッドの下（記録位置）に達しても記録は開始せず、同様にＲＦ−ＩＤタグへの書き込みも開始しない。
【００４４】
中断処理終了後、搬送モータを記録時とは逆方向に駆動させ（Ｓ１１０９）、書き込み失敗となったＲＦ−ＩＤタグ（図１２のラベル紙１２０１ａ内蔵）がＲＦ−ＩＤ通信用アンテナの通信範囲よりも入り口側に、且つ中断動作にて未記録ラベル紙（図１２の１２０１ｅ）が記録ヘッドよりも入り口側に位置するまでラベル紙を戻し、停止する（Ｓ１１０９〜Ｓ１１１１）。
【００４５】
この時のラベル紙の位置を概ね図１２ｄに示す。記録失敗となったＲＦ−ＩＤタグのＩＣチップに書き込まれているデータはＲＦ−ＩＤ用アンテナを介して読み出され、書き込まれるべき正しいデータと比較、一致したデータ量Ａを調べる（Ｓ１１１０）（この時の位置は概ね図１２Ｃに示す通り）。
【００４６】
データ量Ａは、多くの場合書き込み途中の情報であり、ＲＦ−ＩＤタグが通信可能範囲内にある時に書き込みがされた情報である。
【００４７】
新たな搬送速度は、ＲＦ−ＩＤタグとの通信時間及び通信可能範囲により決定される（Ｓ１１１２）。通信時間は通信時間参照テーブル（図６）より決定した値に対し、（全書き込みデータ量／データ量Ａ）を乗算した値とし、通信可能範囲参照テーブル（図５Ｂ）にて決定された通信可能範囲とともに搬送速度参照テーブル（図７Ｂ）により搬送速度を決定する。以下はその際の新たな通信時間を求める計算式である。
通信時間  ＝  通信時間参照テーブル値×（全書き込みデータ量／データ量Ａ）
書き込み失敗となったＲＦ−ＩＤタグ（図１２のラベル紙１２０１ａ内蔵）以降に対する書き込み、及び未記録としたラベル紙（図１２の１００１ｅ）以降に対し記録動作を再開する。
【００４８】
ここで、図１１の処理ステップ１１１０（Ｓ１１１０）において更に進化させようとする方法を記述する。
【００４９】
記録失敗となったＲＦ−ＩＤタグのＩＣチップに書き込まれているデータをＲＦ−ＩＤ用アンテナを介して読み出し、書き込まれるべき正しいデータと比較、例えば一致した部分より以前に書き込まれた箇所に不一致が検出された場合、書き込み失敗は偶発的な要因で発生したと判断できるので、搬送速度再設定では同一速度のまま再開することもある。
【００５０】
なお、本実施例ではフルラインタイプのインクジェット方式の印刷装置において説明をしたが、用紙搬送方向に対して垂直に記録ヘッドをスキャンさせる、シリアルタイプのプリンタにおいても有効であり、記録画像の階調性を高めるために淡色インクの記録ヘッドを追加したものや、インクジェット方式以外の記録ヘッドを持つプリンタに対しても有効である。
【００５１】
【発明の効果】
以上説明したように本発明によれば、ＲＦ−ＩＤタグに情報の書き込みを行う際に書き込みエラーが発生した場合、次の印刷および書き込み動作時の搬送速度を再設定することで、信頼性の高い動作が保証されるようになる。
【００５２】
【図面の簡単な説明】
【図１】本実施例におけるＲＦ-ＩＤタグ記録機能付きインクジェット方式の連続ラベル紙印刷装置とホストコンピュータを接続した構成図である。
【図２】本実施例で使用するＲＦ-ＩＤタグ記録機能付きインクジェット方式の連続ラベル紙記録装置の概略構成図である。
【図３】本実施例における記録装置の制御コマンド体系を示す図である。
【図４】本実施例における記録装置の構成を示すブロック図である。
【図５】本実施例における連続ラベル紙の通信可能範囲を示す図及びラベル紙のサイズとＩＣチップタイプに対応する通信可能範囲を示す参照テーブルである。
【図６】本実施例におけるＲＦ−ＩＤ書き込み情報サイズとＩＣチップタイプに対応する通信時間を示す参照テーブルである。
【図７】本実施例における搬送速度計算式及び搬送速度計算式に対応する搬送速度参照テーブルである。
【図８】本実施例で使用されるＲＦ-ＩＤタグを内蔵した連続ラベル紙の概略構成図である。
【図９】第１の実施例における記録処理及びＲＦ−ＩＤ情報書き込み失敗時の処理を説明するためのフローチャートである。
【図１０】第１の実施例におけるＲＦ−ＩＤ情報書き込み失敗時の処理を説明するための概略図である。
【図１１】第２の実施例における記録処理及びＲＦ−ＩＤ情報書き込み失敗時の処理を説明するためのフローチャートである。
【図１２】第２の実施例におけるＲＦ−ＩＤ情報書き込み失敗時の処理を説明するための概略図である。
【符号の説明】
１００            記録装置（ＲＦ−ＩＤプリンタ）
１０１            ホストコンピュータ
１０２            インタフェースケーブル
２００            ＲＦ-ＩＤ通信部
２０１            ＲＦ-ＩＤ通信用アンテナ
２０２            ＲＦ-ＩＤリーダ/ライタ
２０３Ｋ          ブラック（Ｋ）ヘッド
２０３Ｃ          シアン（Ｃ）ヘッド
２０３Ｍ          マゼンタ（Ｍ）ヘッド
２０３Ｙ          イエロー（Ｙ）ヘッド
２０４Ｋ          ブラック（Ｋ）インクカートリッジ
２０４Ｃ          シアン（Ｃ）インクカートリッジ
２０４Ｍ          マゼンタ（Ｍ）インクカートリッジ
２０４Ｙ          イエロー（Ｙ）インクカートリッジ
２０５            ロールユニット
２０６            搬送モータ
２０７            搬送ベルト
２０８            ロール駆動軸
２０９            ロールセンサレバー
２１０            ロール紙
３０１            用紙設定コマンド
３０２            フォーマットコマンド
３０３            文字データコマンド
３０４            イメージデータコマンド
３０５            ＲＦ-ＩＤデータコマンド
４００            ホストコンピュータ
４０１            メインコントローラ
４０２            ＲＦ-ＩＤリーダ/ライタ
４０３            通信ドライバ
４０４            ヘッド駆動回路
４０５            給紙モータ
４０６            ＲＦ-ＩＤ通信用アンテナ
４０７            ヘッド機構制御モータ
４０８            ＲＯＭ
４０９Ｋ          ブラック（Ｋ）ヘッド
４０９Ｃ          シアン（Ｃ）ヘッド
４０９Ｍ          マゼンタ（Ｍ）ヘッド
４０９Ｙ          イエロー（Ｙ）ヘッド
４１０Ｋ          ＲＡＭ（Ｋ）
４１０Ｃ          ＲＡＭ（Ｃ）
４１０Ｍ          ＲＡＭ（Ｍ）
４１０Ｙ          ＲＡＭ（Ｙ）
４１０Ｒ          ＲＡＭ（Ｒ）
４１１            搬送モータ
８００            連続ラベル紙
８０１            台紙
８０２            ラベル片
８０３            ＩＣチップ
８０４            アンテナ
【図１】
0003895182.tif 000002
【図２】
0003895182.tif 000003
【図３】
0003895182.tif 000004
【図４】
0003895182.tif 000005
【図５】
0003895182.tif 000006
【図６】
0003895182.tif 000007
【図７】
0003895182.tif 000008
【図８】
0003895182.tif 000009
【図９】
0003895182.tif 000010
【図１０】
0003895182.tif 000011
【図１１】
0003895182.tif 000012
【図１２】
0003895182.tif 000013